(57)【要約】  固定構成体（１０）は、細長い物品（１４）と固定デバイス（１２）とを備える。固定デバイス（１２）は、本体部（２０）と、細長い物品（１４）をクランプするための本体部（２０）の中の第１および第２のクランピング部材（２８）とを有している。クランピング部材（２８）は、互いに対して対向する位置に配設されている。細長い物品（１４）は、それぞれのストランド（１６Ａ〜１６Ｆ）の複数の巻きの中で互いに巻き付けられた複数のストランドを備える。それぞれのストランド（１６Ａ〜１６Ｆ）は、それぞれの他のストランドと実質的に同じピッチを有しており、それぞれのクランピング部材（２８）は、細長い物品（１４）に係合するための係合表面（５７）を有している。それぞれの係合表面（５７）は、細長い物品（１４）を形成するストランドの合計数の半分以上に係合するように構成されている。
2020505560.tif 000002
【特許請求の範囲】
【請求項１】
細長い物品と固定デバイスとを備える固定構成体であって、前記固定デバイスは、本体部と、前記細長い物品をクランプするための前記本体部の中の第１および第２のクランピング部材とを有しており、前記クランピング部材は、互いに対して対向する位置に配設されており、前記細長い物品は、それぞれのストランドの複数の巻きの中で互いに巻き付けられた複数のストランドを備え、それぞれの前記ストランドは、それぞれの他のストランドとほぼ同じピッチを有しており、それぞれの前記クランピング部材は、前記細長い物品に係合するための係合表面を有しており、それぞれの前記係合表面は、前記細長い物品を形成するストランドの合計数の半分以上に係合するように構成されている、固定構成体。
【請求項２】
前記固定デバイスは、前記クランピング部材を前記対向する位置に担持するためのキャリッジを備え、前記本体部は、互いに向けて内向きにテーパーの付いた対向する壁部を有しており、前記対向する壁部は、通路を画定しており、前記キャリッジは、前記通路に沿って移動することが可能であり、それによって、前記壁部の内向きの前記テーパーの方向に前記通路に沿って前記キャリッジが移動することは、前記細長い物品をクランプするために、前記クランピング部材が互いに向けて付勢されることを引き起こす、請求項１に記載の固定構成体。
【請求項３】
前記キャリッジは、クランピング状態と解放状態との間で移動可能であり、前記クランピング状態では、前記クランピング部材は、前記細長い物品をクランプすることが可能であり、前記解放状態では、前記クランピング部材は、前記細長い物品から解放されている、請求項２に記載の固定構成体。
【請求項４】
前記固定デバイスは、前記キャリッジを前記クランピング状態へ付勢するように配置された弾性付勢部分を備え、前記弾性付勢部分は、前記キャリッジから延在している、請求項３に記載の固定構成体。
【請求項５】
前記弾性付勢部分は、前記キャリッジと一体になっている、請求項４に記載の固定構成体。
【請求項６】
前記固定デバイスは前記キャリッジを解放状態へ移動させるように配置された解放部分を備え、前記解放部分は、前記キャリッジから延在している、請求項２から５のいずれか一項に記載の固定構成体。
【請求項７】
前記解放部分は、前記本体部を通って突き出る突き出し部材を備える、請求項６に記載の固定構成体。
【請求項８】
前記解放部分は、締結フォーメーションを含み、前記固定デバイスは、前記解放部分の上に配置されるロッキング部材を含み、前記ロッキング部材は、前記締結フォーメーションと協働し、前記キャリッジをクランピング状態にロックする、請求項６または７に記載の固定構成体。
【請求項９】
前記ロッキング部材は、アンロック位置とロック位置との間で前記解放部分に沿って移動可能である、請求項８に記載の固定構成体。
【請求項１０】
前記解放部分は、ロッキング部材をその上に受け入れるための複数の弾性的に変形可能なネジ山付きのセグメントとして形成されており、前記弾性的に変形可能なセグメントは、前記ロッキング部材がその上に押し込み嵌めになることを可能にするように構成されている、請求項６から９のいずれか一項に記載の固定構成体。
【請求項１１】
前記解放部分は、４つの弾性的に変形可能なネジ山付きのセグメントとして形成されている、請求項１０に記載の固定構成体。
【請求項１２】
前記ロッキング部材は、前記ロッキング部材がサポートの中のアパーチャーを通して受け入れられることを可能にするために、細長い構成を有している、請求項１０または１１に記載の固定構成体。
【請求項１３】
前記キャリッジは、プラットフォームを含み、前記クランピング部材が、前記プラットフォームの上に配設されている、請求項２から１２のいずれか一項に記載の固定構成体。
【請求項１４】
前記キャリッジは、それぞれの前記第１および第２のクランピング部材を受け入れるために、第１および第２の受け入れフォーメーションを画定している、請求項２から１３のいずれか一項に記載の固定構成体。
【請求項１５】
前記第１および第２の受け入れフォーメーションは、互いに反対側に配置されている、請求項１４に記載の固定構成体。
【請求項１６】
前記キャリッジは、導管を画定しており、前記細長い物品は、前記導管を通って延在することが可能であり、前記導管は、前記受け入れフォーメーション同士の間に延在している、請求項１４または１５に記載の固定構成体。
【請求項１７】
前記第１および第２の受け入れフォーメーションは、前記キャリッジによって画定されるそれぞれの第１および第２の凹部である、請求項１４、１５、または１６に記載の固定構成体。
【請求項１８】
それぞれの受け入れフォーメーションは、前記第１および第２のクランピング部材を前記それぞれの受け入れフォーメーションの中に保つために、リテイニングフォーメーションを備え、それぞれの前記クランピング部材は、前記リテイニングフォーメーションと協働するために、対応するフォーメーションを備える、請求項１４から１７のいずれか一項に記載の固定構成体。
【請求項１９】
前記リテイニングフォーメーションおよび前記対応するフォーメーションは、協働可能な突出部と窪み部とを備える、請求項１８に記載の固定構成体。
【請求項２０】
前記リテイニングフォーメーションは、突出部を備え、前記対応するフォーメーションは、窪み部を備える、請求項１９に記載の固定構成体。
【請求項２１】
前記リテイニングフォーメーションは、前記受け入れフォーメーションの縁部の上に設けられている、請求項１８、１９、または２０に記載の固定構成体。
【請求項２２】
前記キャリッジの前記受け入れフォーメーションのそれぞれは、外側縁部から内向きに延在する１対の凹んだ領域を画定しており、それぞれのリテイニングフォーメーションは、前記凹んだ領域のそれぞれのものから延在するフィンガーを備える、請求項１８から２１のいずれか一項に記載の固定構成体。
【請求項２３】
それぞれのフィンガーは、その外側端部において、クランピング部材によって画定される窪み部によって受け入れられることとなるフック部分が設けられており、それによって、それぞれの前記受け入れフォーメーションの中に前記クランピング部材を保つ、請求項２２に記載の固定構成体。
【請求項２４】
前記通路は、前記通路を通して前記クランピング部材同士の間に前記細長い物品を受け入れるように構成されており、それによって、前記対向する壁部の内向きの前記テーパーの方向に前記通路に沿って前記キャリッジが移動することは、前記細長い物品をクランプするために、前記壁部が前記クランピング部材を互いに向けて付勢することを引き起こす、請求項２から２３のいずれか一項に記載の固定構成体。
【請求項２５】
前記第１および第２のクランピング部材は、互いに直径方向反対側に配置されている、請求項１から２４のいずれか一項に記載の固定構成体。
【請求項２６】
それぞれの前記クランピング部材は、メイン部分を有しており、それぞれの前記係合表面は、それぞれの前記クランピング部材の前記メイン部分の上に設けられている、請求項１から２５のいずれか一項に記載の固定構成体。
【請求項２７】
それぞれの前記クランピング部材は、係合可能なストランドの合計数の３分の２以上に係合するように構成されている、請求項１から２６のいずれか一項に記載の固定構成体。
【請求項２８】
それぞれの前記クランピング部材は、係合可能なストランドの合計数の少なくとも４分の３に係合するように構成されている、請求項１から２７のいずれか一項に記載の固定構成体。
【請求項２９】
それぞれの前記クランピング部材は、係合可能なストランドのすべてに係合するように構成されている、請求項１から２８のいずれか一項に記載の固定構成体。
【請求項３０】
それぞれの係合表面は、係合可能なストランドの前記ピッチの５０％以上に実質的に等しい寸法を有している、請求項１から２９のいずれか一項に記載の固定構成体。
【請求項３１】
前記係合表面の前記寸法は、前記係合可能なストランドの前記ピッチの６７％以上に実質的に等しい、請求項３０に記載の固定構成体。
【請求項３２】
前記係合表面の前記寸法は、前記係合可能なストランドの前記ピッチの７５％以上に実質的に等しい、請求項３０または３１に記載の固定構成体。
【請求項３３】
前記係合表面の前記寸法は、前記係合可能なストランドの前記ピッチの１００％以上に実質的に等しい、請求項３０、３１、または３２に記載の固定構成体。
【請求項３４】
前記係合表面は、前記細長い物品に係合するように構成されており、前記係合表面の前記寸法が、前記細長い物品に沿って延在するようになっている、請求項３０から３３のいずれか一項に記載の固定構成体。
【請求項３５】
それぞれの前記クランピング部材は、細長くなっており、所定の長さを有しており、前方領域と後方領域とを備え、前記クランピング部材が前記細長い物品と係合するように付勢されているときに、前記前方領域が、前記後方領域に先行しており、前記前方領域は、前記後方領域よりも薄くなっている、請求項１から３４のいずれか一項に記載の固定構成体。
【請求項３６】
それぞれの前記クランピング部材の前記係合表面は、前記クランピング部材の長さのおおよそ５分の３からおおよそ４分の３の間にある係合長さを有している、請求項１から３５のいずれか一項に記載の固定構成体。
【請求項３７】
前記固定デバイスは、ショルダー部を備え、前記本体部は、フランジ部分と、前記フランジ部分と前記ショルダー部との間のネック部分とを有しており、前記フランジ部分は、前記ネック部分から反対側方向に延在している、請求項１から３６のいずれか一項に記載の固定構成体。
【請求項３８】
前記固定デバイスは、挿入部材を含み、前記挿入部材は、前記固定デバイスとサポートとの間に挿入され得、それによって、前記サポートと係合するように前記ショルダー部を押す、請求項３７に記載の固定構成体。
【請求項３９】
前記挿入部材は、ドーム形の部分を備える、請求項３８に記載の固定構成体。
【請求項４０】
前記挿入部材は、細長いスロットを画定しており、前記スロットは、前記ネック部分を保持するために、拡大した中央領域を有している、請求項３８または３９に記載の固定構成体。
【請求項４１】
前記スロットは、開口部を有しており、前記開口部を通して、前記ネック部分が、前記拡大した中央領域の中へ受け入れられ得、前記挿入部材は、前記開口部の反対側に、ドーム形の部分の上に壁部フォーメーションをさらに含む、請求項４０に記載の固定構成体。
【請求項４２】
前記挿入部材は、前記ネック部分の上へのスナップフィットであり、それによって、突き出し部分がアパーチャーを通して受け入れられているときに、前記挿入部材は、前記ネック部分が前記拡大した中央領域の中に受け入れられるまで、ユーザーが前記壁部フォーメーションの上に力を印加することによって、前記ネック部分の上に押され得る、請求項４１に記載の固定構成体。
【請求項４３】
前記第１および第２の壁部は、互いに正反対に配置されており、前記第１および第２のクランピング部材は、互いに直径方向に対向して配置されている、請求項１から４２のいずれか一項に記載の固定構成体。
【請求項４４】
第１および第２の細長いクランピング部材と、前記クランピング部材を担持するためのキャリッジと、互いに向けて内向きにテーパーの付いた第１および第２の壁部を有する本体部とを備える固定デバイスであって、それぞれの前記クランピング部材は、細長い物品に係合するための係合表面を有しており、前記第１および第２の壁部は、通路を画定しており、前記キャリッジは、前記通路に沿って移動することが可能であり、前記通路は、前記通路を通して前記クランピング部材同士の間に前記細長い物品を受け入れるように構成されており、前記壁部の内向きの前記テーパーの方向に前記通路に沿って前記キャリッジが移動することは、前記クランピング部材が互いに向けて付勢されることを引き起こし、前記係合表面が、前記細長い物品に係合し、前記細長い物品を前記係合表面同士の間にクランプすることができるようになっている、固定デバイス。
【請求項４５】
前記キャリッジは、クランピング状態と解放状態との間で移動可能であり、前記クランピング状態では、前記クランピング部材は、前記細長い物品をクランプすることが可能であり、前記解放状態では、前記クランピング部材は、前記細長い物品から解放されている、請求項４４に記載の固定デバイス。
【請求項４６】
前記固定デバイスは、前記キャリッジをクランピング状態へ付勢するように配置された弾性付勢部分を備え、前記弾性付勢部分は、前記キャリッジから延在している、請求項４４または４５に記載の固定デバイス。
【請求項４７】
前記弾性付勢部分は、前記キャリッジと一体になっている、請求項４６に記載の固定デバイス。
【請求項４８】
前記固定デバイスは前記キャリッジを解放状態へ移動させるように配置された解放部分を備え、前記解放部分は、前記キャリッジから延在している、請求項４４から４７のいずれか一項に記載の固定デバイス。
【請求項４９】
前記解放部分は、前記本体部を通って突き出る突き出し部材を備える、請求項４８に記載の固定デバイス。
【請求項５０】
前記解放部分は、締結フォーメーションを含み、前記固定デバイスは、前記解放部分の上に配置されるロッキング部材を含み、前記ロッキング部材は、前記締結フォーメーションと協働し、前記キャリッジをクランピング状態にロックする、請求項４８または４９に記載の固定デバイス。
【請求項５１】
前記ロッキング部材は、アンロック位置とロック位置との間で前記解放部分に沿って移動可能である、請求項５０に記載の固定デバイス。
【請求項５２】
前記解放部分は、ロッキング部材をその上に受け入れるための複数の弾性的に変形可能なネジ山付きのセグメントとして形成されており、前記弾性的に変形可能なセグメントは、前記ロッキング部材がその上に押し込み嵌めになることを可能にするように構成されている、請求項４８から５１のいずれか一項に記載の固定デバイス。
【請求項５３】
前記解放部分は、４つの弾性的に変形可能なネジ山付きのセグメントとして形成されている、請求項５２に記載の固定デバイス。
【請求項５４】
前記ロッキング部材は、前記ロッキング部材がサポートの中のアパーチャーを通して受け入れられることを可能にするために、細長い構成を有している、請求項５２または５３に記載の固定デバイス。
【請求項５５】
前記キャリッジは、プラットフォームを含み、前記クランピング部材が、前記プラットフォームの上に配設されている、請求項４４から５４のいずれか一項に記載の固定デバイス。
【請求項５６】
前記キャリッジは、それぞれの前記第１および第２のクランピング部材を受け入れるために、第１および第２の受け入れフォーメーションを画定している、請求項４４から５５のいずれか一項に記載の固定デバイス。
【請求項５７】
前記第１および第２の受け入れフォーメーションは、互いに反対側に配置されている、請求項５６に記載の固定デバイス。
【請求項５８】
前記キャリッジは、導管を画定しており、前記細長い物品は、前記導管を通って延在することが可能であり、前記導管は、前記受け入れフォーメーション同士の間に延在している、請求項５６または５７に記載の固定デバイス。
【請求項５９】
前記第１および第２の受け入れフォーメーションは、前記キャリッジによって画定されるそれぞれの第１および第２の凹部である、請求項５６、５７、または５８に記載の固定デバイス。
【請求項６０】
それぞれの前記受け入れフォーメーションは、前記第１および第２のクランピング部材をそれぞれの前記受け入れフォーメーションの中に保つために、リテイニングフォーメーションを備え、それぞれの前記クランピング部材は、前記リテイニングフォーメーションと協働するために、対応するフォーメーションを備える、請求項５６から５９のいずれか一項に記載の固定デバイス。
【請求項６１】
前記リテイニングフォーメーションおよび前記対応するフォーメーションは、協働可能な突出部と窪み部とを備える、請求項６０に記載の固定デバイス。
【請求項６２】
前記リテイニングフォーメーションは、突出部を備え、前記対応するフォーメーションは、窪み部を備える、請求項６１に記載の固定デバイス。
【請求項６３】
前記リテイニングフォーメーションは、前記受け入れフォーメーションの縁部の上に設けられている、請求項６０、６１、または６２に記載の固定デバイス。
【請求項６４】
前記キャリッジの前記受け入れフォーメーションのそれぞれは、外側縁部から内向きに延在する１対の凹んだ領域を画定しており、それぞれの前記リテイニングフォーメーションは、前記凹んだ領域のそれぞれのものから延在するフィンガーを備える、請求項６０から６３のいずれか一項に記載の固定デバイス。
【請求項６５】
それぞれの前記フィンガーは、その外側端部において、クランピング部材によって画定される窪み部によって受け入れられることとなるフック部分を設けており、それによって、それぞれの前記受け入れフォーメーションの中に前記クランピング部材を保つ、請求項６４に記載の固定デバイス。
【請求項６６】
前記通路は、前記通路を通して前記クランピング部材同士の間に前記細長い物品を受け入れるように構成されており、それによって、対向する壁部の内向きの前記テーパーの方向に前記通路に沿って前記キャリッジが移動することは、前記細長い物品をクランプするために、前記壁部が前記クランピング部材を互いに向けて付勢することを引き起こす、請求項４４から６５のいずれか一項に記載の固定デバイス。
【請求項６７】
前記第１および第２のクランピング部材は、互いに直径方向反対側に配置されている、請求項４４から６６のいずれか一項に記載の固定デバイス。
【請求項６８】
それぞれの前記クランピング部材は、メイン部分を有しており、それぞれの前記係合表面は、それぞれの前記クランピング部材の前記メイン部分の上に設けられている、請求項４４から６７のいずれか一項に記載の固定デバイス。
【請求項６９】
それぞれの前記クランピング部材は、細長くなっており、所定の長さを有しており、前方領域と後方領域を備え、前記クランピング部材が前記細長い物品と係合するように付勢されているときに、前記前方領域が、前記後方領域に先行しており、前記前方領域は、前記後方領域よりも薄くなっている、請求項４４から６８のいずれか一項に記載の固定デバイス。
【請求項７０】
それぞれの前記クランピング部材の前記係合表面は、前記クランピング部材の長さのおおよそ５分の３からおおよそ４分の３の間にある係合長さを有している、請求項４４から６９のいずれか一項に記載の固定デバイス。
【請求項７１】
前記固定デバイスは、ショルダー部を備え、前記本体部は、フランジ部分と、前記フランジ部分と前記ショルダー部との間のネック部分とを有しており、前記フランジ部分は、前記ネック部分から反対側方向に延在している、請求項４４から７０のいずれか一項に記載の固定デバイス。
【請求項７２】
前記固定デバイスは、挿入部材を含み、前記挿入部材は、前記固定デバイスとサポートとの間に挿入され得、それによって、前記サポートと係合するように前記ショルダー部を押す、請求項７１に記載の固定デバイス。
【請求項７３】
前記挿入部材は、ドーム形の部分を備える、請求項７２に記載の固定デバイス。
【請求項７４】
前記挿入部材は、細長いスロットを画定しており、前記スロットは、前記ネック部分を保持するために、拡大した中央領域を有している、請求項７２または７３に記載の固定デバイス。
【請求項７５】
前記スロットは、開口部を有しており、前記開口部を通して、前記ネック部分が、前記拡大した中央領域の中へ受け入れられ得、前記挿入部材は、前記開口部の反対側に、ドーム形の部分の上に壁部フォーメーションをさらに含む、請求項７４に記載の固定デバイス。
【請求項７６】
前記挿入部材は、前記ネック部分の上へのスナップフィットであり、それによって、突き出し部分がアパーチャーを通して受け入れられているときに、前記挿入部材は、前記ネック部分が前記拡大した中央領域の中に受け入れられるまで、ユーザーが前記壁部フォーメーションの上に力を印加することによって、前記ネック部分の上に押され得る、請求項７５に記載の固定デバイス。
【請求項７７】
前記第１および第２の壁部は、互いに正反対に配置されており、前記第１および第２のクランピング部材は、互いに直径方向に対向して配置されている、請求項４４から７６のいずれか一項に記載の固定デバイス。
【請求項７８】
請求項４４から７７のいずれか一項に記載の固定デバイスと細長い物品とを備える固定構成体であって、細長い物品は、それぞれのストランドの複数の巻きの中で互いに巻き付けられた複数のストランドを備え、それぞれの前記ストランドは、それぞれの他のストランドとほぼ同じピッチを有している、固定構成体。
【請求項７９】
それぞれのクランピング部材は、係合可能なストランドの合計数の３分の２以上に係合するように構成されている、請求項７８に記載の固定構成体。
【請求項８０】
それぞれの前記クランピング部材は、係合可能なストランドの合計数の少なくとも４分の３に係合するように構成されている、請求項７８または７９に記載の固定構成体。
【請求項８１】
それぞれの前記クランピング部材は、係合可能なストランドのすべてに係合するように構成されている、請求項７８、７９、または８０に記載の固定構成体。
【請求項８２】
それぞれの係合表面は、係合可能なストランドの前記ピッチの５０％以上に実質的に等しい寸法を有している、請求項７８から８１のいずれか一項に記載の固定構成体。
【請求項８３】
前記係合表面の前記寸法は、前記係合可能なストランドの前記ピッチの６７％以上に実質的に等しい、請求項８２に記載の固定構成体。
【請求項８４】
前記係合表面の前記寸法は、前記係合可能なストランドの前記ピッチの７５％以上に実質的に等しい、請求項８２または８３に記載の固定構成体。
【請求項８５】
前記係合表面の前記寸法は、前記係合可能なストランドの前記ピッチの１００％以上に実質的に等しい、請求項８２、８３、または８４に記載の固定構成体。
【請求項８６】
前記係合表面は、前記細長い物品に係合するように構成されており、前記係合表面の前記寸法が、前記細長い物品に沿って延在するようになっている、請求項８２から８５のいずれか一項に記載の固定構成体。
【請求項８７】
それぞれの前記クランピング部材は、細長くなっており、所定の長さを有しており、前方領域と後方領域とを備え、前記クランピング部材が前記細長い物品と係合するように付勢されているときに、前記前方領域が、前記後方領域に先行しており、前記前方領域は、前記後方領域よりも薄くなっている、請求項８２から８６のいずれか一項に記載の固定構成体。
【請求項８８】
それぞれの前記クランピング部材の前記係合表面は、前記クランピング部材の長さのおおよそ５分の３からおおよそ４分の３の間にある係合長さを有している、請求項８２から８７のいずれか一項に記載の固定構成体。
【発明の詳細な説明】
【技術分野】
【０００１】
本発明は、細長い物品を固定するための固定デバイスに関する。より具体的には、それに限定されないが、本発明は、ケーブル、ワイヤーロープ、またはワイヤーなどをクランプするための固定デバイスに関する。本発明の実施形態は、クランピングデバイスに関する。また、本発明は、固定デバイスと細長い物品とを備える固定構成体に関する。
【背景技術】
【０００２】
固定デバイスの中のクランピングウェッジによって細長いケーブルを固定するということが知られている。ケーブルは、２つのテーパー付き壁部の間にウェッジによってクランプされる。そのようなクランピングデバイスの荷重能力は限定されている可能性があり、全荷重がケーブルに印加されたときには、ウェッジを解放することが困難である可能性がある。
【発明の概要】
【０００３】
本発明の第１の態様によれば、細長い物品と固定デバイスとを備える固定構成体であって、固定デバイスは、本体部と、細長い物品をクランプするための本体部の中の第１および第２のクランピング部材とを有しており、クランピング部材は、互いに対して対向する位置に配設されており、細長い物品は、それぞれのストランドの複数の巻きの中で互いに巻き付けられた複数のストランドを備え、それぞれのストランドは、それぞれの他のストランドとほぼ同じピッチを有しており、それぞれのクランピング部材は、細長い物品に係合するための係合表面を有しており、それぞれの係合表面は、細長い物品を形成するストランドの合計数の半分以上に係合するように構成されている、固定構成体が提供される。
【０００４】
第１および第２のクランピング部材は、互いに正反対に配置され得る。
【０００５】
固定デバイスは、クランピング部材を前記対向する位置に担持するためのキャリッジを備えることが可能である。本体部は、互いに向けて内向きにテーパーの付いた対向する壁部を有することが可能であり、前記対向する壁部は、通路を画定しており、キャリッジは、通路に沿って移動することが可能である。
【０００６】
通路は、通路を通してクランピング部材同士の間に細長い物品を受け入れるように構成され得る。対向する壁部の内向きのテーパーの方向に通路に沿ってキャリッジが移動することは、細長い物品をクランプするために、クランピング部材が互いに向けて付勢されることを引き起こすことが可能である。
【０００７】
本発明の第２の態様によれば、第１および第２の細長いクランピング部材と、クランピング部材を担持するためのキャリッジと、互いに向けて内向きにテーパーの付いた第１および第２の壁部を有する本体部とを備える固定デバイスであって、第１および第２の壁部は、通路を画定しており、キャリッジは、通路に沿って移動することが可能であり、前記通路は、通路を通してクランピング部材同士の間に細長い物品を受け入れるように構成されており、壁部の内向きの前記テーパーの方向に通路に沿ってキャリッジが移動することは、細長い物品をクランプするために、クランピング部材が互いに向けて付勢されることを引き起こす、固定デバイスが提供される。
【０００８】
第１および第２の壁部は、互いに正反対に配設され得る。
【０００９】
本発明の第３の態様によれば、互いに対して対向する位置に配設されている第１および第２のクランピング部材と、前記対向する位置にクランピング部材を担持するためのキャリッジと、互いに向けて内向きにテーパーの付いた対向する壁部を有する本体部とを備える固定デバイスであって、対向する壁部は、通路を画定しており、キャリッジは、通路に沿って移動することが可能であり、前記通路は、通路を通してクランピング部材同士の間に細長い物品を受け入れるように構成されており、壁部の内向きの前記テーパーの方向に通路に沿ってキャリッジが移動することは、細長い物品をクランプするために、クランピング部材が互いに向けて付勢されることを引き起こす、固定デバイスが提供される。
【００１０】
本発明の第４の態様によれば、固定デバイスと細長い物品とを備える固定構成体であって、固定デバイスは、互いに対して対向する位置に配設されている第１および第２のクランピング部材と、前記対向する位置にクランピング部材を担持するためのキャリッジと、互いに向けて内向きにテーパーの付いた対向する壁部を有する本体部とを備え、対向する壁部は、通路を画定しており、キャリッジは、通路に沿って移動することが可能であり、前記通路は、通路を通してクランピング部材同士の間に細長い物品を受け入れるように構成されており、壁部の内向きの前記テーパーの方向に通路に沿ってキャリッジが移動することは、細長い物品をクランプするために、クランピング部材が互いに向けて付勢されることを引き起こす、固定構成体が提供される。
【００１１】
本明細書で説明されている実施形態では、キャリッジは、クランピング部材が互いに反対側に細長い物品の周りに対称的に配設され、第１のクランピング部材が細長い物品に沿って長さ方向に第２のクランピング部材と整合させられるようになっているということを保証するという利点を提供する。これは、細長い物品が実質的に両方のクランピング部材の長さに沿って把持されるということを保証する。
【００１２】
キャリッジがなければ、さまざまな要因（第１および第２のクランピング部材と細長い物品との間の摩擦の差を含む）が、クランピング部材が細長い物品の長さ方向に不整合状態になることを結果として生じさせることとなる。不整合状態のクランピング部材は、クランピング部材が互いに重なり合う場所のみにおいて、細長い物品が把持されるという効果を有することとなる。それによって、固定デバイスによって支持され得る荷重もそうであるように、細長い物品にかかる把持力が低減されることとなる。
【００１３】
したがって、キャリッジは、クランピング部材が互いに整合させられるということを保証し、細長い物品をクランプするために最大力が提供され得るようになっており、それによって、最大荷重が固定デバイスによって支持され得るということを保証する。
【００１４】
第１および第２のクランピング部材のそれぞれは、細長くなっていることが可能である。第１および第２のクランピング部材のそれぞれは、ウェッジを備えることが可能である。
【００１５】
キャリッジは、クランピング状態と解放状態との間で移動可能であり得、クランピング状態では、クランピング部材は、細長い物品をクランプすることが可能であり、解放状態では、クランピング部材は、細長い物品から解放されている。
【００１６】
キャリッジがそのクランピング状態になっているときには、それぞれのクランピング部材が、細長い物品とクランピング係合した状態になり、細長い物品を固定デバイスに固定することが可能である。キャリッジがその解放状態になっているときには、それぞれのクランピング部材は、細長い物品から解放され、細長い物品が通路の中を移動することが可能になる。
【００１７】
細長い物品は、クランピング部材によって係合され得る複数の係合可能なストランドを備えることが可能である。係合可能なストランドは、それぞれの係合可能なストランドの複数の巻きの中で互いに巻き付けられ得る。
【００１８】
前記係合可能なストランドのそれぞれは、前記係合可能なストランドの他のもののそれぞれとほぼ同じピッチを有することが可能である。それぞれのクランピング部材は、細長い物品に係合するための係合表面を有することが可能である。
【００１９】
前記係合可能なストランドのそれぞれは、クランピング部材のうちの一方または両方によって係合され得る。それぞれのクランピング部材は、前記係合可能なストランドの合計数の半分以上に係合するように構成され得る。
【００２０】
本明細書で説明されている実施形態では、それぞれのクランピング部材が細長い物品の中の前記係合可能なストランドの合計数の半分以上にわたって延在するという特徴は、細長い物品がクランピング部材同士の間にきつくクランプされるという利点を提供し、細長い物品がいずれかのクランピング部材によってカットされるというリスクが最小化される。
【００２１】
細長い物品がクランピング部材同士の間にクランプされているときには、細長い物品の前記係合可能なストランドのそれぞれが、クランピング部材のうちの一方または両方によって係合されている。１つの実施形態では、前記係合可能なストランドの数が６つである場合に、それぞれのクランピング部材は、前記係合可能なストランドの３つ以上に係合することが可能である。
【００２２】
前記係合可能なストランドのそれぞれは、らせんの形態になっていることが可能である。細長い物品は、ワイヤー、ケーブル、またはロープなどであることが可能である。
【００２３】
それぞれのクランピング部材は、メイン部分を有することが可能である。それぞれの係合表面は、それぞれのクランピング部材のメイン部分の上に設けられ得る。
【００２４】
望ましくは、それぞれのクランピング部材は、前記係合可能なストランドの合計数の３分の２以上に係合するように構成され得る。１つの実施形態では、細長い物品が前記係合可能なストランドのうちの６つを有している場合には、それぞれのクランピング部材は、前記係合可能なストランドのうちの４つ以上に係合することが可能である。
【００２５】
望ましくは、それぞれのクランピング部材は、前記係合可能なストランドの合計数の少なくとも４分の３に係合するように構成され得る。１つの実施形態では、細長い物品が前記係合可能なストランドのうちの６つを有している場合には、それぞれのクランピング部材は、前記係合可能なストランドの５つ以上に係合することが可能である。
【００２６】
より望ましくは、それぞれのクランピング部材は、前記係合可能なストランドのすべてに係合するように構成され得る。１つの実施形態では、細長い物品が前記係合可能なストランドのうちの６つを有している場合には、それぞれのクランピング部材は、前記係合可能なストランドの６つすべてに係合することが可能である。
【００２７】
それぞれの係合表面は、前記係合可能なストランドのピッチの５０％以上に実質的に等しくなり得る寸法を有することが可能である。係合表面は、細長い物品に係合するように構成されており、係合表面の前記寸法が、細長い物品に沿って延在するようになっている。この寸法は、係合表面の長さであり得る。
【００２８】
本明細書で使用されているように、「ピッチ」という語句は、細長い物品の主長手方向軸線に沿って測定されるストランドの完全な１巻きの長さを意味している。
【００２９】
係合表面の前記寸法は、望ましくは、前記係合可能なストランドのピッチの６７％以上に実質的に等しい。係合表面の前記寸法は、望ましくは、前記係合可能なストランドのピッチの７５％以上に実質的に等しい。係合表面の前記寸法は、望ましくは、前記係合可能なストランドのピッチの１００％以上に実質的に等しい。
【００３０】
前記係合可能なストランドは、細長い物品の外側ストランドを構成することが可能である。上記の前記係合可能なストランドに加えて、細長い物品は、少なくとも１つの中心ストランドを含むことが可能であり、上述の係合可能なストランドが、少なくとも１つの中心ストランドに巻き付けられている。
【００３１】
中心ストランドは、コアストランドを備えることが可能であり、上述の係合可能なストランドがコアストランドに巻き付けられており、または、中心ストランドは、複数の内側ストランドを備える内側層を備えることが可能であり、上述の係合可能なストランドが内側層に巻き付けられている。内側ストランドは、コアストランドに巻き付けられ得る。
【００３２】
前記ストランドは、細長い物品の外側ストランドを構成することが可能である。上述のストランドに加えて、細長い物品は、少なくとも１つの中心ストランドを含むことが可能であり、上述の外側ストランドが少なくとも１つの中心ストランドに巻き付けられている。
【００３３】
中心ストランドは、コアストランドを備えることが可能であり、上述の外側ストランドがコアストランドに巻き付けられており、または、中心ストランドは、複数の内側ストランドを備える内側層を備えることが可能であり、上述の外側ストランドが内側層に巻き付けられている。内側ストランドは、コアストランドに巻き付けられ得る。
【００３４】
それぞれのクランピング部材は、細長い物品に初期に係合するために、予備的な係合突き出し部を備えることが可能である。予備的な係合突き出し部は、係合表面の上に歯を備えることが可能である。
【００３５】
それぞれのクランピング部材は、複数の前記予備的な係合突き出し部、たとえば、３つの予備的な係合突き出し部などを備えることが可能である。それぞれの予備的な係合突き出し部は、それぞれの歯を備えることが可能である。
【００３６】
係合表面は、複数の把持フォーメーションを有することが可能である。把持フォーメーションは、セレーションを備えることが可能であり、それぞれのセレーションは、係合表面を横切って延在している。
【００３７】
クランピング部材は、互いに正反対にあることが可能である。細長い物品は、クランピング部材同士の間に直接的に配設され得る。
【００３８】
それぞれのクランピング部材は、細長くなっていることが可能であり、所定の長さを有しており、前方領域と後方領域とを備え、クランピング部材が細長い物品と係合するように付勢されているときに、前方領域が、後方領域に先行しており、前方領域は、後方領域よりも薄くなっている。
【００３９】
それぞれのクランピング部材は、ウェッジの形態になっていることが可能である。それぞれのクランピング部材の係合表面は、クランピング部材の長さのおおよそ５分の３からおおよそ４分の３の間にある係合長さを有することが可能である。
【００４０】
第１および第２のクランピング部材は、互いに直径方向に反対側に、キャリッジの上に配置され得る。
【００４１】
固定デバイスは、弾性付勢部分を備えることが可能である。付勢部分は、キャリッジをクランピング状態へと付勢するように配置され得る。付勢部分は、キャリッジから延在することが可能である。代替的に、望まれる場合には、弾性付勢部分は、キャリッジから分離していることが可能である。
【００４２】
固定デバイスは、解放部分を備えることが可能である。解放部分は、キャリッジを解放状態へと移動させるように配置され得る。解放部分は、キャリッジから延在することが可能である。
【００４３】
キャリッジおよび弾性付勢部分は、保持構成体を一緒に構成することが可能である。保持構成体は、解放部分をさらに含むことが可能である。保持構成体は、拡張位置と後退位置との間で変形可能であり得る。保持構成体は、プラスチック材料から形成され得、たとえば射出成形など、成形によって形成され得る。
【００４４】
弾性付勢部分は、保持構成体を拡張位置へと付勢するように配置され得る。弾性付勢部分は、キャリッジと一体になっていることが可能である。解放部分は、保持構成体を後退位置へと移動させるように配置され得る。解放部分は、キャリッジと一体になっていることが可能である。
【００４５】
キャリッジおよび付勢部分は、単一コンポーネントを一緒に構成することが可能である。キャリッジ、解放部分、および付勢部分は、単一コンポーネントを一緒に構成することが可能である。キャリッジ、解放部分、および付勢部分は、互いに一体的に形成され得る。
【００４６】
キャリッジのクランピング状態は、保持構成体の拡張位置に対応することが可能である。キャリッジの解放状態は、保持構成体の後退位置に対応することが可能である。
【００４７】
キャリッジは、プラットフォームを含むことが可能であり、クランピング部材が、プラットフォームの上に配設されている。キャリッジは、それぞれの第１および第２のクランピング部材を受け入れるために、第１および第２の受け入れフォーメーションを画定することが可能である。第１および第２の受け入れフォーメーションは、互いに反対側に配置され得る。
【００４８】
キャリッジは、導管を画定することが可能であり、細長い物品は、前記導管を通って延在することが可能である。導管は、受け入れフォーメーション同士の間に延在することが可能である。
【００４９】
第１および第２の受け入れフォーメーションは、キャリッジによって画定されるそれぞれの第１および第２の凹部であることが可能である。それぞれの受け入れフォーメーションは、向かい合った受け入れ部材を備えることが可能であり、受け入れ部材は、向かい合った傾斜付きパーティションであることが可能である。
【００５０】
それぞれの受け入れフォーメーションは、第１および第２のクランピング部材をそれぞれの受け入れフォーメーションの中に保つために、リテイニングフォーメーションを備えることが可能である。リテイニングフォーメーションは、受け入れ部材の縁部の上に設けられ得る。
【００５１】
リテイニングフォーメーションは、それぞれの受け入れ部材の縁部のうちの少なくとも１つの上に突出部を備えることが可能である。リテイニングフォーメーションは、それぞれの受け入れフォーメーションの両方の縁部の上に突出部を備えることが可能である。
【００５２】
それぞれのクランピング部材は、リテイニングフォーメーションと協働するために、対応するフォーメーションを備えることが可能である。リテイニングフォーメーションおよび対応するフォーメーションは、協働可能な突出部と窪み部とを備えることが可能である。１つの実施形態では、リテイニングフォーメーションは、突出部を備えることが可能である。この実施形態では、対応するフォーメーションは、窪み部を備えることが可能である。
【００５３】
キャリッジは、強化フォーメーションを含むことが可能であり、強化フォーメーションは、受け入れフォーメーションから延在することが可能である。強化フォーメーションは、受け入れフォーメーション同士の間に設けられ得る。強化フォーメーションは、強化リブを備えることが可能である。強化フォーメーションのそれぞれは、受け入れフォーメーションの長さに延在することが可能である。
【００５４】
付勢部分は、コイルスプリングを備えることが可能である。代替的に、付勢部分は、ウェーブスプリングまたはリーフスプリングなどのような、別の適切なタイプのスプリングの形態になっていることが可能である。付勢部分は、係合部分をさらに含むことが可能である。付勢部分は、両側の端部を備えることが可能であり、端部のうちの一方は、キャリッジに取り付けられており、他方の端部は、係合部分に取り付けられている。
【００５５】
解放部分は、実質的に円筒形状になっていることが可能である。本明細書で説明されている実施形態では、解放部分は、クランピング状態から解放状態へ、キャリッジが本体部の中で押されることを可能にする。解放部分は、突き出し部材を備えることが可能であり、突き出し部材は、本体部を通って突き出している。解放部分は、締結フォーメーションを含み、締結フォーメーションは、解放部分のネジ山付きの領域であることが可能である。
【００５６】
ロッキング部材は、解放部分の上に配置され得る。ロッキング部材は、締結フォーメーションと協働し、キャリッジをクランピング状態にロックすることが可能である。ロッキング部材は、解放部分のネジ山付きの領域と協働するために、ネジ山を含むことが可能である。
【００５７】
ロッキング部材は、アンロック位置とロック位置との間で解放部分に沿って移動可能であり得る。ロッキング部材は、解放部分に沿ってねじ回されることによって、解放部分に沿って移動可能であり得る。
【００５８】
ロッキング部材がアンロック位置にあるときには、キャリッジは、解放状態へと移動させられ得る。ロッキング部材がロック位置にあるときには、キャリッジは、クランピング状態にロックされ得る。したがって、本明細書で説明されている実施形態では、アンロック位置へのロッキング部材の移動は、ロッキング部材が、リースボタンとして作用するという利点を提供し、リースボタンは、キャリッジを解放状態へと移動させるために、本体部に向けて押し付けられ得る。
【００５９】
ロッキング部材は、アパーチャーを画定することが可能であり、細長い物品は、アパーチャーを通って延在することが可能である。ロッキング部材は、アパーチャーからロッキング部材のサイド領域へ延在するサイドスロットを画定することが可能である。
【００６０】
望まれる場合には、細長い物品は、スロットを通過させられ得、固定デバイスが細長い物品の上に配置された後に、ロッキング部材が解放部分の上に装着されることを可能にする。
【００６１】
細長い物品は、スロットを通過させられ得、ロッキング部材がアパーチャーを通して受け入れられることを可能にし、それによって、固定デバイスが細長い物品の上に配置されているときに、ロッキング部材が解放部分の上に装着されることを可能にする。
【００６２】
固定デバイスは、キャリッジがクランピング状態になっているときを示すために、インジケーターを含むことが可能である。インジケーターは、解放部分の上側インジケーション領域を備えることが可能である。
【００６３】
ロッキング部材がロック位置へとねじ回されるときに、ロッキング部材をねじ回し続けることは、キャリッジをロッキング部材に向けて移動させることが可能である。上側領域がロッキング部材と同一平面上になっているときに、または、上側領域がロッキング部材から延在しているときに、インジケーターは、キャリッジがクランピング状態になっているということを示すことが可能である。
【００６４】
通路は、それを通って延在する主軸線を有することが可能である。通路は、キャリッジがクランピング状態へと移動させられるときに、クランピング部材を細長い物品とクランピング係合した状態のそれらのクランピング状態へ付勢するために、対向するガイド壁部を有することが可能である。ガイド壁部のそれぞれは、軸線に向けて内向きにテーパーが付いていることが可能である。
【００６５】
固定デバイスは、反作用の力を付勢部分に提供するために、反作用部材をさらに含むことが可能である。反作用部材は、反作用部材を本体部に取り付けるために、取り付けフォーメーションを含むことが可能である。
【００６６】
本体部は、取り付けフォーメーションと協働するために、さらなるフォーメーションを含むことが可能である。取り付けフォーメーションおよびさらなるフォーメーションは、ネジ山を備えることが可能である。
【００６７】
反作用部材は、ボアを画定することが可能であり、細長い物品は、ボアを通って延在することが可能である。反作用部材は、本体部から除去され得、キャリッジ構成体が本体部の中に挿入されることを可能にする。
【００６８】
付勢部分は、反作用部材に係合するための係合部材を含むことが可能である。係合部材は、半径方向外向きに延在する部材を備えることが可能であり、それは、環状になっていることが可能である。係合部材は、位置付けフォーメーションを含み、本体部の上の対応するフォーメーションと相互作用し、キャリッジを本体部の中の所望の位置に配向させることが可能である。
【００６９】
本体部は、サポートに係合するために、半径方向外向きに延在するフランジ部分を含むことが可能であり、固定デバイスは、サポートとともに使用されることとなる。本体部は、通路と本体部の外部の領域との間の連通を提供する開口部を画定することが可能である。本体部は、ネック部分をさらに含むことが可能であり、ネック部分は、フランジ部分と開口部との間に延在することが可能である。
【００７０】
使用時に、ネック部分は、サポートの中のアパーチャーによって受け入れられ得る。サポートは、ネック部分がアパーチャーによって受け入れられているときに、フランジ部分に係合することが可能である。サポートは、フランジ部分に係合することが可能である。
【００７１】
さらなる実施形態では、固定デバイスは、ショルダー部を備えることが可能である。本体部は、フランジ部分を有することが可能である。ネック部分が、フランジ部分とショルダー部との間に設けられ得る。フランジ部分は、ネック部分から反対側方向に延在することが可能である。フランジ部分は、楕円形状になっていることが可能である。
【００７２】
フランジ部分は、サポートのメイン部材の中のアパーチャーのうちの１つを通してフィットするように適切な形状およびサイズのものであることが可能である。サポートは、フランジ部分とショルダー部との間に受け入れられ得る。
【００７３】
固定デバイスは、挿入部材を含むことが可能である。挿入部材は、固定デバイスとサポートとの間に挿入され得る。望ましくは、挿入部材は、フランジ部分とサポートとの間に挿入され得る。そのように挿入された挿入部材は、サポートと係合するようにショルダー部を押すことが可能である。
【００７４】
挿入部材は、ドーム形の部分を備えることが可能であり、ドーム形の部分は、円形部分であることが可能である。本明細書で説明されている実施形態においてドーム形の部分を提供することは、挿入部材がサポートの異なる厚さを収容することを可能にするという利点を提供する。
【００７５】
挿入部材は、細長いスロットを画定することが可能である。スロットは、ネック部分を保持するために、拡大した中央領域を有することが可能である。スロットは、開口部を有することが可能であり、開口部を通して、ネック部分が、拡大した中央領域の中へ受け入れられ得る。壁部フォーメーションが、開口部の反対側に、円形部分の上に設けられている。
【００７６】
挿入部材は、ネック部分の上へのスナップフィットであることが可能である。突き出し部分がアパーチャーを通して受け入れられているときに、挿入部材は、ネック部分が拡大した中央領域の中に受け入れられるまで、ユーザーが壁部フォーメーションの上に力を印加することによって、ネック部分の上に押され得る。壁部フォーメーションは、この実施形態において、挿入部材に印加される力を拡散させ、それによって、ユーザーが挿入部材をネック部分の上にフィットさせることをより容易にするという利点を提供する。
【００７７】
第２の実施形態では、解放部分は、複数の、たとえば、４つの弾性的に変形可能なネジ山付きのセグメントとして形成され、ロッキング部材をその上に受け入れることが可能である。弾性的に変形可能なセグメントは、ロッキング部材がその上に押し込み嵌めになることを可能にすることができる。
【００７８】
ロッキング部材は、ロッキング部材がサポートの中のアパーチャーを通して受け入れられることを可能にするために、細長い構成を有することが可能である。ロッキング部材は、楕円形形状を有することが可能である。
【００７９】
キャリッジのパーティションのそれぞれは、外側縁部から内向きに延在する１対の凹んだ領域を画定することが可能である。それぞれのリテイニングフォーメーションは、フィンガーを備えることが可能であり、フィンガーは、凹んだ領域のそれぞれのものから延在することが可能である。それぞれのフィンガーは、その外側端部において、クランピング部材によって画定される窪み部によって受け入れられることとなるフック部分を設けられ得、それによって、それぞれの受け入れフォーメーションの中にクランピング部材を保つ。
【００８０】
ここで、本発明の実施形態が、添付の図面を参照して、単なる例として説明されることとなる。
【図面の簡単な説明】
【００８１】
【図１】アンロック位置にあるロッキング部材と、解放状態になっているキャリッジとを示す、固定デバイスの側断面図。
【図２】ロック位置にあるロッキング部材と、クランピング状態になっているキャリッジとを示す、固定デバイスの側断面図。
【図３】キャリッジの中にクランピング部材を据え付ける前のキャリッジとクランピング部材とを示す図。
【図４】キャリッジの中にクランピング部材を据え付けた後のキャリッジとクランピング部材とを示す図。
【図５】クランピング部材と細長い物品との間の関係を示す概略図。
【図６】ロッキング部材を示す図。
【図７】サポートの上に装着されている固定デバイスの斜視図。
【図８】サポートの上に装着されている固定デバイスを示す端面断面図。
【図９】アンロック位置にあるロッキング部材と、解放状態になっているキャリッジとを示す、固定デバイスの第２の実施形態の側断面図。
【図１０】ロック位置にあるロッキング部材と、クランピング状態になっているキャリッジとを示す、さらなる固定デバイスの側断面図。
【図１１】キャリッジの中にクランピング部材を据え付ける前のさらなるキャリッジとクランピング部材とを示す図。
【図１２】キャリッジの中にクランピング部材を据え付けた後のさらなるキャリッジとクランピング部材とを示す図。
【図１３】サポートの上に装着されている固定デバイスの斜視図。
【図１４】挿入部材を示す図。
【発明を実施するための形態】
【００８２】
図面の図１から図８を参照すると、固定構成体１０の第１の実施形態が示されている。図１および図２は、固定デバイス１２の第１の実施形態と、ワイヤー、ケーブル、またはロープなどの形態の細長い物品１４とを備える、固定構成体１０を示している。細長い物品１４は、図１および図２において破線で示されている。
【００８３】
細長い物品１４は、外側ストランド１６Ａ、１６Ｂ、１６Ｃ、１６Ｄ、１６Ｅ、および１６Ｆの形態の複数の係合可能なストランドから形成された外側層と、コアストランド１８とを備え、外側ストランド１６Ａから１６Ｆが、コアストランド１８の周りに巻き付けられている。外側ストランド１６Ａから１６Ｆ、および、固定デバイス１２とのそれらの相互作用が、より明確に図５に示されており、下記に議論されている。
【００８４】
固定デバイス１２は、対向する壁部２３によって貫通通路２２を画定する本体部２０を備え、対向する壁部２３は、互いに向けて内向きにテーパーが付けられている。使用時に、細長い物品１４は、通路２２を通って延在する。通路２２は、長手方向主軸線２４を有しており、細長い物品１４は、長手方向主軸線２４に沿って延在している。
【００８５】
保持構成体２６が、通路２２の中に設けられている。固定デバイス１２は、保持構成体２６によって担持される第１および第２のクランピング部材２８をさらに含む。それぞれのクランピング部材２８は、ウェッジの形態になっている。保持構成体２６は、第１および第２のクランピング部材２８を保持するためのキャリッジ３０を備える。
【００８６】
また、保持構成体２６は、キャリッジ３０の一方の端部に取り付けられている弾性付勢部分３２と、キャリッジ３０の反対側端部に取り付けられている解放部分３３とを含む。
【００８７】
キャリッジ３０は、第１および第２のクランピング部材２８を受け入れて保持するための凹部の形態をした第１および第２の受け入れフォーメーション３４を画定している。クランピング部材２８のそれぞれは、受け入れフォーメーション３４のうちのそれぞれのものの中に受け入れられている。
【００８８】
強化フォーメーション３７が、受け入れフォーメーション３４に沿って延在している。強化フォーメーション３７は、受け入れフォーメーション３４同士の間に配設されている。
【００８９】
保持構成体２６は、細長い導管３８を画定しており、細長い導管３８は、保持構成体２６を通って延在している。細長い導管３８は、キャリッジ３０を通って受け入れフォーメーション３４に沿って延在している。導管３８は、弾性付勢部分３２、キャリッジ３０、および解放部分３３を通って延在している。細長い物品１４は、導管３８を通して受け入れられ得、細長い物品１４が受け入れフォーメーション３４同士の間に延在するようになっている。
【００９０】
キャリッジ３０、弾性付勢部分３２、および解放部分３３は、たとえば成形することによって、単一コンポーネントとして一体的に形成されている。本明細書で説明されている実施形態では、保持構成体２６は、適切なプラスチック材料から形成されている。
【００９１】
受け入れフォーメーション３４は、導管３８と連通しており、クランピング部材２８が導管３８の中の細長い物品１４に係合することを可能にする。受け入れフォーメーション３４は、互いに反対側に配置されており、第１および第２のクランピング部材２８が互いに対して対向する関係で配設されるようになっている。したがって、クランピング部材２８は、細長い物品１４の直径方向に反対側の領域において、細長い物品１４に係合することが可能である。
【００９２】
それぞれの受け入れフォーメーション３４は、プラットフォーム３９Ａと、互いに向けて傾斜を付けられたパーティション３９Ｂの形態の向かい合った受け入れ部材とを備える。パーティション３９Ｂは、プラットフォーム３９Ａから延在している。突出部４１Ａの形態の４つのリテイニングフォーメーションが、それぞれの受け入れフォーメーション３４の向かい合ったパーティション３９Ｂの外側縁部の上に設けられている。窪み部４１Ｂの形態の対応するフォーメーションが、クランピング部材２８によって画定されている。突出部４１Ａは、窪み部４１Ｂによって受け入れられ、受け入れフォーメーション３４の中にクランピング部材２８を保つ。
【００９３】
保持構成体２６は、本体部２０の中に配設されており、キャリッジ３０が図２の中の矢印Ｘの方向に移動させられるときに、テーパー付き壁部２３が、クランピング部材２８を互いに向けて付勢し、それによって、細長い物品１４とクランピング係合した状態にするようになっている。
【００９４】
使用時に、キャリッジ３０は、クランピング状態（図２に示されている）と解放状態との間で通路２２に沿って移動可能である。通路２２に沿ったキャリッジ３０の移動は、保持構成体２６の変形によって実現される。
【００９５】
保持構成体２６の変形は、弾性付勢部分３２によって起こり、弾性付勢部分３２は、保持構成体２６を後退位置から図２に示されている拡張位置へ拡張させるように長くなる。したがって、キャリッジ３０は、弾性付勢部分によってクランピング状態へ通路２２に沿って線形に付勢される。キャリッジ３０の解放状態および保持構成体２６の後退位置の例が、第２の実施形態に関連して下記に議論されている。
【００９６】
キャリッジ３０が解放状態から図２に示されているクランピング状態へ通路２２に沿って移動するときに、クランピング部材２８は、テーパー付き壁部２３によって内向きに付勢され、細長い物品１４とクランピング係合した状態になる。
【００９７】
弾性付勢部分３２は、キャリッジ３０から自由端部へ延在するコイルスプリングの形態になっている。係合フォーメーション４０が、弾性付勢部分３２の自由端部の上に設けられている。代替的に、付勢部分３２は、ウェーブスプリングまたはリーフスプリングなどのような、別の適切なタイプのスプリングの形態になっていることが可能である。
【００９８】
固定デバイス１２は、弾性付勢部分３２の上の係合フォーメーション４０に係合するための反作用部材４２をさらに含み、それによって、弾性付勢部分３２がキャリッジ３０をその拡張位置に向けて付勢することを可能にする。反作用部材４２は、ネジ山４３を有しており、それが本体部２０の通路２２の中へねじ込まれ得るようになっている。反作用部材４２は、保持構成体２６の軸線と整合させられている、反作用部材４２を通る軸線方向のボアを画定しており、細長い物品１４が、ボアを通って延在する。
【００９９】
解放部分３３は、ネジ山付きの領域３６を有する円筒形状の部材３５の形態になっている。図１および図２に示されているように、解放部分３３は、本体部２０から外へ延在している。ロッキング部材４４は、対応するネジ山４６を有しており、ロッキング部材４４は、ロッキング部材４４を解放部分３３の上でねじ回すことによって、解放部分３３に締結される。
【０１００】
ロッキング部材４４は、貫通アパーチャー４７を画定しており、細長い物品１４は、ロッキング部材４４が解放部分３３に取り付けられているときに、貫通アパーチャー４７を通って延在する。また、ロッキング部材４４は、スロット４８を画定しており、スロット４８は、外側開口部４９と反対側の内側開口部５０とを有しており、スロット４８と貫通アパーチャー４７との連通を可能にしている。
【０１０１】
細長い物品１４が固定デバイス１２を通って延在するように配置されたときに、ロッキング部材４４は、スロット４８を通して細長い物品１４をアパーチャー４７へスライドさせることによって、解放部分３３の上に装着され得る。
【０１０２】
解放部分３３がアパーチャー４７と整合させられるまで、ロッキング部材４４が本体部２０の上を移動するときに、細長い物品１４がスロット４８を通過する。次いで、解放部分３３は、アパーチャー４７の中に受け入れられ得、ロッキング部材４４が解放部分３３の上にねじ回されることを可能にする。
【０１０３】
ロッキング部材４４は、アンロック位置（図１に示されている）からロック位置（図２に示されている）へ解放部分３３に沿ってねじ回され得る。キャリッジ３０が拡張位置にあるときに、ロッキング部材４４は、解放部分３３の上をロック位置へねじ回され、キャリッジ３０を拡張位置にロックし、それによって、細長い物品１４とクランピング係合した状態にクランピング部材２８をロックすることが可能である。
【０１０４】
キャリッジ３０は、上側インジケーション領域４５の形態のインジケーターを有している。ロッキング部材４４が解放部分３３に沿って図２に示されているロック位置へねじ回されるときに、キャリッジ３０は、矢印Ｘによって示されている方向に移動する。ロッキング部材４４を継続的にねじ回すことは、インジケーション領域４５がロッキング部材４４の上部から突き出すことを引き起こす。これが起こるときに、それは、キャリッジ３０が拡張位置にあり、クランピング部材が細長い物品１４と完全にクランピング係合した状態になっているというインジケーションをユーザーに提供する。また、ロッキング部材４４の上部からインジケーション領域４５が突き出ているということは、ロッキング部材４４がロック位置にあるということを示している。
【０１０５】
細長い物品１４の外側ストランド１６Ａから１６Ｆは、それぞれの外側ストランド１６Ａから１６Ｆの複数の巻きの中で互いにらせん状に巻き付けられている。外側ストランド１６Ａから１６Ｆのそれぞれは、ピッチＰを有している。細長い物品１４は、長手方向主軸線５２を有している。ピッチＰは、外側ストランド１６Ａから１６Ｆのうちの１本の完全な１巻きの細長い物品１４の主軸線５２に沿った距離である。図５では、外側ストランド１６Ａのピッチが示されているが、それぞれの他の外側ストランド１６Ｂから１６Ｆのピッチも同じであるということが認識されることとなる。
【０１０６】
それぞれのクランピング部材２８は、前方領域５４から後方領域５６へ延在する長さＬ１を有している。また、それぞれのクランピング部材２８は、長さＬ２を有する係合表面５７を有している。長さＬ２は、それぞれのクランピング部材２８の長さＬ１のおおよそ５分の３からおおよそ４分の３の間にある。
【０１０７】
それぞれのクランピング部材２８の前方領域５４は、湾曲した先端表面５８を有しており、湾曲した先端表面５８は、前方端部領域５４から係合表面５７へ凸形に湾曲している。湾曲した先端表面５８は、細長い物品１４と係合した状態で通路２２に沿ってそれぞれのクランピング部材２８が移動することを促進させる。また、湾曲した先端表面５８は、細長い物品１４の中の応力を徐々に低減させる効果を有しており、それは、細長い物品１４の破壊を防止することを助ける。
【０１０８】
係合表面５７の全体長さＬ２が、外側ストランド１６Ａから１６Ｆのそれぞれに係合する。これは、使用時に、クランピング部材２８が細長い物品１４をクランプするために使用されているときに、外側ストランド１６Ａから１６Ｆのそれぞれが、両方のクランピング部材２８によって係合されているということを意味している。
【０１０９】
使用時に、クランピング部材２８は、受け入れフォーメーション３４の中に配設されており、保持構成体２６は、本体部２０の中に据え付けられている。細長い物品１４は、図１に示されている矢印Ｙの方向に、キャリッジ３０の中へ通されている。クランピング部材２８は、細長い物品１４の端部によって係合され、邪魔にならないところに移動させられ、細長い物品１４が保持構成体２６に通されることを可能にする。
【０１１０】
所望の長さの細長い物品１４が、クランピング部材２８同士の間で、本体部２０と保持構成体２６とを通される。次いで、細長い物品１４が、矢印Ｙによって示されているものと反対側の方向に引っ張られ、それによって、キャリッジ３０を内向きにテーパー付きの壁部２３同士の間で通路２２に沿って拡張位置に向けて引っ張ることが可能である。
【０１１１】
クランピング部材２８は、壁部２３に係合しており、壁部２３のテーパーによって互いに向けて付勢され、それによって、細長い物品１４をその間にクランプする。次いで、キャリッジ３０は、ロッキング部材４４を解放部分３３の上でロック位置へねじ回すことによって、拡張位置にロックされ得る。
【０１１２】
たとえば、細長い物品１４の上の固定デバイス１２の位置を調節するために、細長い物品１４からクランピング部材２８を解放することが望まれる可能性がある。そのような状況では、ロッキング部材４４は、そのアンロック位置へねじ回して緩められる。
【０１１３】
次いで、ロッキング部材４４は、図１の中の矢印Ｙによって示されている方向にユーザーによって押し付けられ、キャリッジ３０を拡張位置から後退位置へ押す。これは、保持構成体２６を解放状態へ移動させる効果を有しており、クランピング部材２８が細長い物品１４から解放されるようになっている。
【０１１４】
次いで、固定デバイス１２は、細長い物品１４に沿って別の位置へ移動させられ得、クランピング部材２８が、細長い物品１４の上に再クランプされる。望まれる場合には、ロッキング部材４４を押し付ける前に、反作用部材４２が除去され得、それによって、キャリッジ３０の上の任意の上向きの力を除去する。
【０１１５】
図７および図８を参照すると、固定デバイス１２が、使用状態で示されており、その上に装着されたサポート６０を有している。図７および図８では、サポート６０は、支柱の形態になっているが、任意の他の適切なサポートが、固定デバイス１２の上に装着され得る。サポート６０は、任意の適切な長さのものであることが可能であり、たとえば、複数の固定構成体１０によって屋根または天井から吊り下げられ得る。図７および図８は、サポート６０の一部分のみを示しており、また、１つの固定デバイス１０だけを示している。
【０１１６】
サポート６０は、細長いほぼ平坦なメイン部材６２と、メイン部材６２の両側の縁部から延在する１対の対向する細長いほぼ平坦なサイド部材６４とを有している。
【０１１７】
メイン部材６２は、複数のアパーチャー６６を画定している。固定デバイス１２の上にサポート６０を装着するために、ロッキング部材４４が、解放部分３３から除去され得る。保持構成体２６の解放部分３３は、アパーチャー６６のうちの１つを通して挿入され、そのように挿入されているときに、ロッキング部材４４は、図７および図８に示されているように、アンロック位置において解放部分３３の上で交換される。
【０１１８】
本体部２０は、上側開口部６８を画定し、通路２２と本体部２０の外部の領域との間の連通を提供している。本体部２０は、半径方向外向きに延在するフランジ部分７０と、フランジ部分７０と開口部６８との間の本体部２０のネック部分７２とを含む。
【０１１９】
解放部分３３がアパーチャー６６を通して受け入れられているときに、メイン部材６２は、フランジ部分７０に係合し、フランジ部分７０の上に置かれることが可能である。細長い物品１４が導管３８を通して挿入される前または後のいずれかにおいて、ロッキング部材４４は、解放部分３３の上で交換され得る。これは、固定デバイス１２をサポート６０に取り付ける効果を有しており、ユーザーが固定デバイス１２を細長い物品１４に取り付ける準備ができるまで、それらが一緒に保たれるようになっている。
【０１２０】
ユーザーが、細長い物品１４を固定デバイス１２に固定する準備ができているときに、細長い物品１４は、開口部６８を介して保持構成体２６によって画定されている導管３８の中へ挿入され得る。ユーザーは、ロッキング部材４４をそのアンロック位置に維持し、サポート６０が固定デバイス１２の上に装着された状態で、固定デバイス１２が細長い物品１４に沿って所望の位置へ移動させられ得るようになっている。
【０１２１】
次いで、ユーザーは、矢印Ｘ（図２を参照）によって示されている方向に、固定デバイス１２に対して細長い物品１４を引っ張り、キャリッジ３０を拡張位置へ引っ張る。これは、クランピング部材２８が細長い物品１４をクランプすることを引き起こす。次いで、ロッキング部材４４は、解放部分３３に沿ってロック位置へねじ回され、それによって、細長い物品１４とクランピング係合した状態にクランピング部材２８をロックする。
【０１２２】
サポート６０は、固定デバイス１０の上に留まり、フランジ部分７０の上に置かれている。サポート６０のこの位置において、ネック部分７２は、サポート６０の中のアパーチャー６６を通って延在している。ロッキング部材４４がロック位置にあるときに、それは、サポート６０に係合しておらず、それによって、固定デバイス１２とサポート６０との間の相対的な移動を可能にする。
【０１２３】
したがって、保持構成体２６によって保持される第１および第２の対向するクランピング部材２８を有する固定デバイス１２が説明されている。保持構成体２６は、クランピング状態と解放状態との間で移動させられ得る。テーパー付き壁部２３は、互いに対して所定の角度で配置されており、それは、先行技術の固定デバイスよりも容易なクランピング部材２８の解放を可能にする。
【０１２４】
それに加えて、保持構成体２６を提供することは、クランピング部材２８が細長い物品１４とクランピング部材２８との間の摩擦によって通路２２に沿って引っ張られるときに、互いに向かい合って整合した状態にクランピング部材２８を維持するという利点を提供する。
【０１２５】
さまざまな修正が、本発明の範囲を逸脱することなく行われ得る。たとえば、ネック部分７２は、たとえば、その長さを低減させることによって構成され得、ロッキング部材４４がロック位置にあるときに、ロッキング部材４４がサポート６０に係合することができるようになっており、それによって、サポート６０を固定デバイス１２に締結するようになっている。
【０１２６】
図９から図１４は、固定デバイスの第２の実施形態を示しており、それは、全体的に１１２で指定されており、それは、図１から図８に示されている固定デバイス１２の第１の実施形態の同じ特徴の多くを備える。これらの特徴は、同じ方式で動作し、図１から図８に示されている対応する特徴と同じ参照番号によって、図９から図１４において指定されている。
【０１２７】
本体部２０が、ネック部分７２の下方に、円周方向に延在するショルダー部１１４を提供するという点において、固定デバイス１１２は、固定デバイス１２とは異なっている。また、本体部２０は、楕円形状のフランジ部分１１６を有しており、フランジ部分１１６は、ネック部分７２の上方に設けられている。フランジ部分１１６は、ネック部分７２から反対側方向に延在している。
【０１２８】
したがって、円周方向に延在する凹部１１８が、ショルダー部１１４とフランジ部分１１６との間でネック部分７２の周りに画定されている。
【０１２９】
フランジ部分１１６は、図１３に示されているように、サポート６０のメイン部材６２の中のアパーチャー６６のうちの１つを通してフィットするように適切な形状およびサイズのものである。固定デバイス１１２をサポート６０の上に固定して装着するために、挿入部材１２０が設けられている。
【０１３０】
挿入部材１２０は、円形部分１２２を備え、円形部分１２２は、サポート６０のメイン部材６２の異なる厚さを収容するためにドーム形になっている。円形部分１２２は、細長いスロット１２４を画定しており、細長いスロット１２４は、拡大した中央領域１２６を有しており、ネック部分７２を保持する。スロット１２４は、開口部１２８を有しており、開口部１２８を通して、ネック部分７２は、拡大した中央領域１２６の中へ受け入れられ得る。壁部フォーメーション１３０が、開口部１２８の反対側に円形部分１２２の上に設けられている。
【０１３１】
挿入部材１２０は、ネック部分７２の上へのスナップフィットである。フランジ部分１１６がアパーチャー６６を通して受け入れられているときに、挿入部材１２０は、ネック部分７２が拡大した中央領域１２６の中に受け入れられるまで、ユーザーが壁部フォーメーション１３０の上に力を印加することによって、たとえば、ユーザーの親指によって、ネック部分７２の上に押され得る。
【０１３２】
挿入部材１２０は、フランジ部分１１６とメイン部材６２との間でネック部分７２の上に受け入れられ、それによって、ショルダー部１１４を押し、メイン部材６２と係合した状態にする。
【０１３３】
壁部フォーメーション１３０は、挿入部材１２０に印加される力を拡散させ、それによって、ユーザーが挿入部材１２０をネック部分７２の上にフィットさせることをより容易にする。
【０１３４】
解放部分３３は、４つの弾性的に変形可能なセグメント１３２として形成されており、ロッキング部材１３４をその上に受け入れる。セグメント１３２は、ネジ山３６を含む。弾性的に変形可能なセグメント１３２は、ロッキング部材１３４がその上に押し込み嵌めになることを可能にする。
【０１３５】
ロッキング部材１３４は、貫通アパーチャー４７を画定しており、貫通アパーチャー４７は、ネジ山４６を含む。次いで、そのようにその上にフィットさせられているときに、ロッキング部材１３４は、ロッキング部材４４に関して上記に説明されているものと同じ方式で、ロック位置とアンロック位置との間で、解放部分３３のネジ山３６に沿ってねじ回される。
【０１３６】
固定デバイス１１２の中での使用に関するロッキング部材１３４は、上記に説明されているロッキング部材４４と同様であるが、図１３に示されているように、楕円形形状を有している。
【０１３７】
ロッキング部材１３４は、上記に説明されているロッキング部材４４のスロットを所有していない。その理由は、ロッキング部材１３４の楕円形形状は、ロッキング部材１３４がサポート６０の中のアパーチャー６６を通過することを可能にし、したがって、固定デバイス１１２をサポート６０の上に装着するために、本体部２０から除去される必要がないからである。固定デバイス１１２をサポート６０の上に装着するためにロッキング部材１３４を除去する必要がないということによって、ロッキング部材１３４が失われることとなるリスクがほとんどない。
【０１３８】
キャリッジ３０のパーティション３９Ｂのそれぞれは、それぞれのパーティション３９Ｂの外側縁部から内向きに延在する１対の凹んだ領域１３６を画定している。フィンガー１３８の形態のリテイニングフォーメーションが、凹んだ領域１３６から延在している。それぞれのフィンガー１３８は、その外側端部において、クランピング部材２８によって画定される窪み部４１Ｂによって受け入れられることとなるフック部分１４０を設けており、それによって、それぞれの受け入れフォーメーション３４の中にクランピング部材を保つ。
【０１３９】
図９は、固定デバイス１１２の断面図であり、解放状態になっているキャリッジ３０、および、アンロック位置にあるロッキング部材１３４を示している。図１０は、固定デバイス１１２の断面図であり、そのクランピング状態になっているキャリッジ３０、および、ロック位置にあるロッキング部材１３４を示している。
【０１４０】
図１０では、クランピング部材２８は、細長い物品１４に接触してクランプさせられ、細長い物品１４の一部分は、図１０の中の破線で示されている。また、図１０では、ロッキング部材１３４は、フランジ部分１１６の上をねじ回されており、それによって、キャリッジ３０が解放状態へ移動させられることを防止している。
【０１４１】
図９では、ロッキング部材１３４は、フランジ部分１１６から解除されており、アンロック位置へ移動させられている。クランピング部材２８は、矢印Ａによって示されている方向に解放部材１３４を押し込むことによって、細長い物品１４から解放されており（細長い物品１４の一部分は、また、図９に示されている）、それによって、固定デバイス１１２が細長い物品１４に沿って移動することを可能にする。
【図１】
2020505560.tif 000003
【図２】
2020505560.tif 000004
【図３】
2020505560.tif 000005
【図４】
2020505560.tif 000006
【図５】
2020505560.tif 000007
【図６】
2020505560.tif 000008
【図７】
2020505560.tif 000009
【図８】
2020505560.tif 000010
【図９】
2020505560.tif 000011
【図１０】
2020505560.tif 000012
【図１１】
2020505560.tif 000013
【図１２】
2020505560.tif 000014
【図１３】
2020505560.tif 000015
【図１４】
2020505560.tif 000016
【国際調査報告】
2020505560.tif 000017
2020505560.tif 000018
2020505560.tif 000019